(57)【特許請求の範囲】
【請求項１】
可撓性を有し、底部がほぼ平坦状のコンテナバッグ本体と；このコンテナバッグ本体の底部に設けられ、コンテナバッグ本体に取付けられた状態において実質的に筒状をなすフォークポケットを形成する軟質のフォークポケット部材と；を備え、
前記フォークポケット部材は、そのフォーク挿入側の先端部がコンテナバッグ本体の外縁よりも外方に突出し、かつ突出部の上半部と下半部とが切離され、
前記コンテナバッグ本体は、前記フォークポケット部材の先端部を拡げて開口部を形成するように、フォークポケット部材における突出部の上半部を上方に引上げてコンテナバッグ本体に結合可能にしたことを特徴とするフレキシブルコンテナバッグ。
【請求項２】
前記コンテナバッグ本体の側面には、前記突出部の上半部を上方に引き上げる引上げ紐が設けられ、
この引上げ紐を、前記突出部の上半部に設けたリング状のロープ通し材に結ぶ構成としたことを特徴とする請求項１に記載のフレキシブルコンテナバッグ。
【請求項３】
可撓性を有し、底部がほぼ平坦状のコンテナバッグ本体と；このコンテナバッグ本体の底部に設けられ、コンテナバッグ本体に取付けられた状態において実質的に筒状をなすフォークポケットを形成する軟質のフォークポケット部材と；を備え、
前記フォークポケット部材は、そのフォーク挿入側の先端部がコンテナバッグ本体の外縁よりも外方に突出し、かつ突出部の上半部と下半部とが切離され、
前記フォークポケット部材の先端部を拡げて開口部を形成するように、フォークポケット部材の上半部全体の内の前記突出部のみに、上方に凸に湾曲する挿入端補強材を設けたことを特徴とするフレキシブルコンテナバッグ。
【請求項４】
フォークポケット部材における突出部の少なくとも下半部は、増剛性処理が施されていることを特徴とする請求項１ないし３のいずれかに記載のフレキシブルコンテナバッグ。
【請求項５】
フォークポケット部材の少なくとも内面上部は、プラスチックフィラメントを用いた織布で形成されていることを特徴とする請求項１ないし４のいずれかに記載のフレキシブルコンテナバッグ。
【請求項６】
織布は、フォーク挿入方向に延在する縦糸が細径で横糸が太径のプラスチックフィラメントを用いて形成されていることを特徴とする請求項５記載のフレキシブルコンテナバッグ。
【請求項７】
織布は、フォーク挿入方向に延在する縦糸が太径で横糸が細径のプラスチックフィラメントを用いて形成されていることを特徴とする請求項５記載のフレキシブルコンテナバッグ。
【請求項８】
コンテナバッグ本体またはフォークポケット部材のうちの少なくともいずれか一方の接地面は、難滑処理が施されていることを特徴とする請求項１又は３記載のフレキシブルコンテナバッグ。
【発明の詳細な説明】
【０００１】
【発明の属する技術分野】
本発明は、可撓性を有するフレキシブルコンテナバッグに係り、特にパレット機能を備えたフレキシブルコンテナバッグに関する。
【０００２】
【従来の技術】
従来から、プラスチック製の織布やシート等を用いて可撓性を有するコンテナバッグを製作し、このコンテナバッグ内に各種貨物を積付けて輸送するようにしたフレキシブルコンテナバッグは一般に知られている。
【０００３】
ところで、従来のフレキシブルコンテナバッグは、コンテナとしての機能のみを有する構造であるため、フォークリフトを用いて取扱う際には、フレキシブルコンテナバッグとは別にパレットを必要とするという問題がある。
【０００４】
そこで一部では、コンテナバッグの底部両側に切欠きを設けて、中央部のみが下方に突出した形状とし、フォークを用いた運搬の際には、この突出部両側の切欠き部分にフォークリフトのフォークを挿入するようにしたフレキシブルコンテナバッグが提案されている。
【０００５】
【発明が解決しようとする課題】
前記従来のフレキシブルコンテナバッグにおいては、パレットを必要としないことから、取扱いが容易である等の多くの利点を有しているが、コンテナバッグの底部が平坦でないため、保管時の安定性が悪いという問題があり、またコンテナバッグをフォークリフトを用いて運搬する際に、コンテナバッグがフォークリフトのフォーク上に単に載置されているだけの状態であるため、コンテナバッグの底部が湾曲した場合には、コンテナバッグがフォーク上から脱落するおそれがあるという問題もある。
【０００６】
本発明は、かかる現況に鑑みなされたもので、パレットを用いることなく、フォークリフトを用いて運搬することができるとともに、コンテナバッグ本体内に重量物が収容されている場合であっても、フォークポケット内にフォークリフトのフォークを何等支障なく挿入することができ、またフォークリフトでの運搬中に、コンテナバッグ本体がフォーク上から脱落するおそれがなく、しかも保管時の安定性も極めてよいフレキシブルコンテナバッグを提供することを目的とする。
【０００７】
本発明の他の目的は、フォークポケット部材の製作が容易で、しかもフォークのフォークポケット内への挿入が容易なフレキシブルコンテナバッグを提供するにある。
【０００８】
本発明の他の目的は、フォークポケット内にフォークを挿入した際に、フォークポケット部材における突出部の先端部分が、フォークポケット内に巻き込まれることがないフレキシブルコンテナバッグを提供するにある。
【０００９】
本発明の他の目的は、コンテナバッグ本体内に重量物が満杯に収容されている場合であっても、フォークをフォークポケット内に容易に挿入することができるフレキシブルコンテナバッグを提供するにある。
【００１０】
本発明の他の目的は、フォークポケットのフォーク挿入端を、常時開いた状態にしておくことができるフレキシブルコンテナバッグを提供するにある。
【００１１】
本発明の他の目的は、フォークをフォークポケット内に容易に挿入することができ、しかもコンテナバッグ本体内に貨物を収容するだけで、フォークポケットのフォーク挿入端を開くことができるフレキシブルコンテナバッグを提供するにある。
【００１２】
本発明の他の目的は、コンテナバッグ本体内が空の状態あるいは少量の貨物が収容されている状態であっても、フォークリフトのフォークを、フォークポケット内にスムースに挿入することができ、フォークポケット部材が皺になってフォークを挿入することができないといった不具合がないフレキシブルコンテナバッグを提供するにある。
【００１３】
本発明の他の目的は、コンテナバッグ本体内に、レジンのような流動性のある貨物が収容されている場合であっても、コンテナバッグ本体がフォークから脱落してしまうといった不具合がないフレキシブルコンテナバッグを提供するにある。
【００１４】
本発明の他の目的は、コンテナバッグ本体内に、詰まると流動性のない米のような貨物が収容されている場合であっても、フォークポケット部材とフォークとの間の抵抗を小さくして、フォークポケット内へのフォークの挿入を、スムースに行なうことができるフレキシブルコンテナバッグを提供するにある。
【００１５】
本発明のさらに他の目的は、コンテナバッグ本体内に貨物が収容されていない状態で、フォークリフトのフォークをフォークポケット内に挿入する場合であっても、コンテナバッグ本体が移動してフォークを挿入できないといった不具合がないフレキシブルコンテナバッグを提供するにある。
【００１６】
【課題を解決するための手段】
前記目的を達成するため本発明は、可撓性を有し、底部がほぼ平坦状のコンテナバッグ本体と；このコンテナバッグ本体の底部に設けられ、コンテナバッグ本体に取付けられた状態において実質的に筒状をなすフォークポケットを形成する軟質のフォークポケット部材と；を設け、前記フォークポケット部材は、そのフォーク挿入側の先端部がコンテナバッグ本体の外縁よりも外方に突出し、かつ突出部の上半部と下半部とが切離され、前記コンテナバッグ本体は、前記フォークポケット部材の先端部を拡げて開口部を形成するように、フォークポケット部材における突出部の上半部を上方に引上げてコンテナバッグ本体に結合可能にしたことを特徴とする。そして、コンテナバッグ本体の底部にフォークポケット部材を設けることで、パレットを用いることなく、フォークリフトを用いて運搬することが可能となる。また、フォークポケット部材のフォーク挿入側の先端が、コンテナバッグ本体の外縁よりも外方に突出することになるので、コンテナバッグ本体内に満杯に貨物が収容されている場合であっても、フォークをフォークポケット内に容易に挿入することが可能となる。
【００１７】
また、フォークポケット部材におけるフォーク挿入側の先端部を、コンテナバッグ本体の外縁よりも外方に突出させ、かつ突出部の上半部と下半部とを切離すようにしたので、フォークポケット部材を容易に製作することが可能となるとともに、フォークをフォークポケット内に容易に挿入することが可能となる。
【００１９】
また、コンテナバッグ本体に、前記フォークポケット部材の先端部を拡げて開口部を形成するように、フォークポケット部材における突出部の上半部を上方に引上げてコンテナバッグ本体に結合可能にしたので、コンテナバッグ本体内に重量物が満杯に収容されている場合であっても、フォークポケット部材の先端部がラッパ状に開いた状態となり、フォークをフォークポケット内に容易に挿入することが可能となる。
本発明はまた、前記コンテナバッグ本体の側面には、前記突出部の上半部を上方に引き上げる引上げ紐が設けられ、この引上げ紐を、前記突出部の上半部に設けたリング状のロープ通し材に結ぶ構成とした。
【００２０】
本発明はまた、可撓性を有し、底部がほぼ平坦状のコンテナバッグ本体と；このコンテナバッグ本体の底部に設けられ、コンテナバッグ本体に取付けられた状態において実質的に筒状をなすフォークポケットを形成する軟質のフォークポケット部材と；を備え、前記フォークポケット部材は、そのフォーク挿入側の先端部がコンテナバッグ本体の外縁よりも外方に突出し、かつ突出部の上半部と下半部とが切離され、前記フォークポケット部材の先端部を拡げて開口部を形成するように、フォークポケット部材の上半部全体の内の前記突出部のみに、上方に凸に湾曲する挿入端補強材を設けるようにしたことを特徴とする。そしてこれにより、フォークポケットのフォーク挿入端を、常時開いた状態にすることが可能となる。
【００２１】
本発明はまた、フォークポケット部材における突出部の少なくとも下半部に、増剛性処理を施すようにしたことを特徴とする。そしてこれにより、フォークをフォークポケット内に挿入する際に、フォークポケット部材の突出部が、フォークポケット内に巻き込まれることがなくなり、フォークをフォークポケット内にスムースに挿入することが可能となる。
【００２２】
本発明はまた、フォークポケット部材の少なくとも内面上部を、プラスチックフィラメントを用いた織布で形成するようにしたことを特徴とする。そしてこれにより、フォークポケットの内面上部が、所定の剛性を有する滑り易い面となり、コンテナバッグ本体内に貨物が収容されていない状態で、フォークをフォークポケット内に挿入した場合であっても、フォークポケット部材が皺になってフォークを挿入できないといった不具合がない。
【００２３】
本発明はまた、織布を、フォーク挿入方向に延在する縦糸が細径で横糸が太径のプラスチックフィラメントを用いて形成するようにしたことを特徴とする。そしてこれにより、コンテナバッグ本体内に、レジンのような流動性のある貨物が収容されている場合であっても、コンテナバッグ本体がフォークから脱落してしまうといった不具合がない。
【００２４】
本発明はまた、織布を、フォーク挿入方向に延在する縦糸が太径で横糸が細径のプラスチックフィラメントを用いて形成するようにしたことを特徴とする。そしてこれにより、コンテナバッグ本体内に、詰まると流動性のない米のような貨物が収容されている場合であっても、フォークポケット部材とフォークとの間の抵抗を小さくして、フォークのフォークポケット内への挿入を、スムースに行なうことが可能となる。
【００２５】
本発明はさらに、コンテナバッグ本体またはフォークポケット部材のうちの少なくともいずれか一方の接地面に、難滑処理を施すようにしたことを特徴とする。そしてこれにより、コンテナバッグ本体内に貨物が収容されていない状態で、フォークリフトのフォークを、フォークポケット内に挿入する場合であっても、コンテナバッグ本体が移動してフォークを挿入できないといった不具合がない。
【００２６】
【発明の実施の形態】
以下、本発明を図面を参照して説明する。
図１ないし図３は、本発明の第１の実施の形態に係るフレキシブルコンテナバッグを示すもので、このフレキシブルコンテナバッグ１は、可撓性を有し底部がほぼ平坦面状をなす容器状のコンテナバッグ本体２を備えており、このコンテナバッグ本体２の底部には、図示しないフォークリフトのフォークを挿入するための筒状のフォークポケットＰを形成するための可撓性のフォークポケット部材３が二箇所に取付けられている。そして、その下面側には、フォークポケット部材３を下面側から覆って、コンテナバッグ本体２に着脱可能に連結されるボトムカバー４が配設されるようになっている。
【００２７】
前記各フォークポケット部材３は、図４および図５に示すように、下面側に内面材６が取付けられた上面材５と、上面側に内面材８が取付けられた下面材７とを備えており、これら両面材５，７は、図３および図５に示すように、その長手方向両端部がコンテナバッグ本体２の外縁よりも外方に突出するように長さ設定されている。そして、この突出部は、図５に示すように、帯状の縁包み材９，１０で包んで縫合されて増剛性処理が施されており、これにより、フォークをフォークポケットＰ内に挿入した際に、各面材５，７の端部がフォークポケットＰ内に巻き込まれないよう考慮されている。
【００２８】
また、前記両面材５，７は、図１ないし図５に示すように、コンテナバッグ本体２の底部に対応する部分のみがコンテナバッグ本体２に縫合され、したがって、両面材５，７の長手方向両端部は、相互に切離された状態となっている。そしてこれにより、フォークポケットＰ内にフォークを容易に挿入することができるようになっている。
【００２９】
前記上面材５の縁包み材９が縫合された部分には、図５に示すように、リング状のロープ通し材１１が縫合されており、上面材５の長手方向両端部は、コンテナバッグ２の側面に設けた引上げ紐１２をロープ通し材１１に結束することにより、上方に引上げられるようになっている。そしてこれにより、フォークポケット部材３の先端部を上下にラッパ状に拡げて、フォークをフォークポケットＰ内に容易に挿入できるようになっている。
【００３０】
一方、前記両内面材６，８は、例えばＰＰモノフィラメントを用いた織布で形成されており、そのフィラメントの繊度は、４００ｄ（デニール）ないし２０００ｄの間で選択され、かつフォーク挿入方向に延在する縦糸とこれに直交する横糸とは、相互に異なる径のフィラメントが用いられるようになっている。
【００３１】
すなわち、縦糸を細径，横糸を太径にした場合には、フォークリフトのフォークとの間の抵抗が多少高めになる。このため、フレキシブルコンテナバッグ１内に、例えばレジンのような流動性のある貨物が収容されている場合には、縦糸が細径，横糸が太径の織布を用いることにより、運搬中にフレキシブルコンテナバッグ１がフォークから脱落するのを、有効に防止することができる。
【００３２】
一方、縦糸を太径，横糸を細径にした場合には、フォークリフトのフォークとの間の抵抗が多少低めになる。このため、フレキシブルコンテナバッグ１内に、詰まると流動性がない例えば米のような貨物が収容されている場合には、縦糸が太径，横糸が細径の織布を用いることにより、フォークのフォークポケットＰ内への挿入をスムースに行なうことができ、フォークが引掛かって挿入できないといった不具合がない。
【００３３】
前記ボトムカバー４におけるフォークポケット部材３の並設方向両端縁には、図１および図２に示すように、複数の結束リング１３がそれぞれ取付けられており、ボトムカバー４は、前記各結束リング１３をコンテナバッグ本体２の側面に設けた結束紐１４に結束することにより、コンテナバッグ本体２に連結されるようになっている。なお、このボトムカバー４は、必要に応じ省略することもできるが、その際、コンテナバッグ本体２の底部に、排出口がある場合には、異物混入防止用の保護カバーで前記排出口を覆うようにすることが好ましい。
【００３４】
しかして、コンテナバッグ本体２の底部に、フォークポケット部材３が一体に取付けられているので、パレットを用いることなく、コンテナバッグ本体２を容易かつ安全に、フォークリフトで運搬することができる。
【００３５】
なお、前記第１の実施の形態においては、各内面材６，８を、ＰＰモノフィラメントを用いた織布で形成する場合について説明したが、フォークリフトのフォークとの間の滑りをより良好にする必要がある場合には、ＰＥモノフィラメントを用いた織布で各内面材６，８を形成するようにすればよい。
【００３６】
図６および図７は、本発明の第２の実施の形態を示すもので、前記第１の実施の形態におけるロープ通し材１１および引上げ紐１２に代え、挿入端補強材２０を用いるようにしたものである。
【００３７】
すなわち、上面材５におけるコンテナバッグ本体２の外縁よりも外方に突出する部分には、図６に示すように、例えばプラスチック製のロープ等で形成される挿入端補強材２０がそれぞれ配されており、これら各挿入端補強材２０は、例えば上面材５および内面材６で包んで縫製することにより、上面材５に固定されるとともに、その形状は、図７に示すように、上方に凸に湾曲している。そしてこれにより、フォークポケットＰの端部を、常時開いた状態にしておくことができるようになっている。
なお、その他の点については、前記第１の実施の形態と同一構成となっており、作用も同一である。
【００３８】
しかして、挿入端補強材２０を設けることにより、フォークポケットＰの端部を常時開いておくことができ、フォークリフトのフォークを、フォークポケットＰに容易に挿入することができる。
【００３９】
図８および図９は、本発明の第３の実施の形態を示すもので、前記第１の実施の形態におけるロープ通し材１１および引上げ紐１２を省略し、上面材５の端部を、コンテナバッグ本体２の外面に直接固定するとともに、コンテナバッグ本体２およびフォークポケット部材３の接地面に、難滑シート３０を配するようにしたものである。
【００４０】
すなわち、上面材５におけるコンテナバッグ本体２の外縁よりも外方に突出する部分は、図８および図９に示すように、上方に引上げられた状態で、コンテナバッグ本体２の外面に縫製等の方法で固定されており、またコンテナバッグ本体２および下面材７の接地面には、ＥＶＡシートまたはゴムシート等の難滑シート３０がラミネート，糊貼り，縫製等の方法により一体に設けられている。
なお、その他の点については、前記第１の実施の形態と同一構成となっており、作用も同一である。
【００４１】
しかして、上面材５の端部をコンテナバッグ本体２の外面に固定することにより、コンテナバッグ本体２内に貨物を収容すれば、上面材５の端部が上方に引張られることになる。このため、フォークポケットＰの端部を開くことができる。また、上面材５の端部がコンテナバッグ本体２の外面に露出しているので、フォークポケットＰの位置を容易に視認することができる。また、難滑シート３０により、フレキシブルコンテナバッグ１の滑りが防止され、コンテナバッグ本体２内に貨物が収容されていない状態で、フォークポケットＰ内にフォークリフトのフォークを挿入しようとした際に、フレキシブルコンテナバッグ１が移動してフォークを挿入することができないといった不具合がない。
【００４２】
なお、前記各実施の形態においては、フォークポケット部材３の上面側にも下面側にも、内面材６，８を配設する場合について説明したが、少なくとも上面材５側にのみ内面材６を設ければ、所期の効果は期待できる。
【００４３】
また、前記各実施の形態においては、内面材６，８を、モノフィラメントを用いた織布で形成する場合について説明したが、プラスチックイルムを用いて形成するようにしてもよい。
【００４４】
ただし、プラスチックフィルムを用いる場合には、その滑り摩擦係数を、表１に示す範囲とすることが好ましく、またその強度は、表２に示す値とすることが好ましいことが、本発明者等の実験により確認されている。
【００４５】
【表１】
0004017906.tif 000002
【００４６】
【表２】
0004017906.tif 000003
【００４７】
また、前記各実施の形態においては、上面材５も下面材７も、その長手方向両端部がコンテナバッグ本体２の外縁よりも外方に突出している場合ついて説明したが、少なくとも下面材７の長手方向両端部が、コンテナバッグ本体２の外縁よりも外方に突出していれば、所期の効果を得ることができる。
【００４８】
また、前記各実施の形態においては、フォークポケット部材３が、完全に筒状をなす場合について説明したが、例えば帯状の部材をコンテナバッグ本体２の底部に縫合して、フォークポケット部材３とするようにしてもよい。
【００４９】
【発明の効果】
以上説明したように本発明は、可撓性を有し、底部がほぼ平坦状のコンテナバッグ本体と；このコンテナバッグ本体の底部に設けられ、コンテナバッグ本体に取付けられた状態において実質的に筒状をなすフォークポケットを形成する軟質のフォークポケット部材と；を設け、前記フォークポケット部材は、そのフォーク挿入側の先端部がコンテナバッグ本体の外縁よりも外方に突出し、かつ突出部の上半部と下半部とが切離され、前記コンテナバッグ本体は、前記フォークポケット部材の先端部を拡げて開口部を形成するように、フォークポケット部材における突出部の上半部を上方に引上げてコンテナバッグ本体に結合可能にした。コンテナバッグ本体の底部にフォークポケット部材を設けることで、パレットを用いることなく、フォークリフトを用いて運搬することができる。また、フォークポケット部材のフォーク挿入側の先端下面を、コンテナバッグ本体の外縁よりも外方に突出させることで、コンテナバッグ本体内に満杯に貨物が収容されている場合であっても、フォークをフォークポケット内に容易に挿入することができる。
【００５０】
また、フォークポケット部材におけるフォーク挿入側の先端部を、コンテナバッグ本体の外縁よりも外方に突出させ、かつ突出部の上半部と下半部とを切離すようにしているので、フォークポケット部材を容易に製作することができるとともに、フォークをフォークポケット内に容易に挿入することができる。
【００５２】
また、コンテナバッグ本体に、前記フォークポケット部材の先端部を拡げて開口部を形成するように、フォークポケット部材における突出部の上半部を上方に引上げてコンテナバッグ本体に結合可能しているので、コンテナバッグ本体内に重量物が満杯に収容されている場合であっても、フォークポケット部材の先端部がラッパ状に開いた状態となり、フォークをフォークポケット内に容易に挿入することができる。
【００５３】
本発明はまた、可撓性を有し、底部がほぼ平坦状のコンテナバッグ本体と；このコンテナバッグ本体の底部に設けられ、コンテナバッグ本体に取付けられた状態において実質的に筒状をなすフォークポケットを形成する軟質のフォークポケット部材と；を備え、前記フォークポケット部材は、そのフォーク挿入側の先端部がコンテナバッグ本体の外縁よりも外方に突出し、かつ突出部の上半部と下半部とが切離され、前記フォークポケット部材の先端部を拡げて開口部を形成するように、フォークポケット部材の上半部全体の内の前記突出部のみに、上方に凸に湾曲する挿入端補強材を設けるようにしているので、フォークポケットのフォーク挿入端を、常時開いた状態にすることができる。
【００５４】
また、フォークポケット部材における突出部の少なくとも下半部に、増剛性処理を施すようにしているので、フォークをフォークポケット内に挿入する際に、フォークポケット部材の突出部が、フォークポケット内に巻き込まれることがなくなり、フォークをフォークポケット内にスムースに挿入することができる。
【００５５】
本発明はまた、フォークポケット部材の少なくとも内面上部を、プラスチックフィラメントを用いた織布で形成するようにしているので、フォークポケット部材の内面上部が、所定の剛性を有する滑り易い面となり、コンテナバッグ本体内に貨物が収容されていない状態で、フォークをフォークポケット内に挿入するような場合であっても、フォークポケット部材が皺になってフォークを挿入できないといった不具合がない。
【００５６】
本発明はまた、織布を、フォーク挿入方向に延在する縦糸が細径で横糸が太径のプラスチックフィラメントを用いて形成するようにしているので、コンテナバッグ本体内に、レジンのような流動性のある貨物が収容されている場合であっても、コンテナバッグ本体がフォークから脱落してしまうといった不具合がない。
【００５７】
本発明はまた、織布を、フォーク挿入方向に延在する縦糸が太径で横糸が細径のプラスチックフィラメントを用いて形成するようにしているので、コンテナバッグ本体内に、詰まると流動性のない米のような貨物が収容されている場合であっても、フォークポケット部材とフォークとの間の抵抗を小さくして、フォークのフォークポケット内への挿入を、スムースに行なうことができる。
【００５８】
本発明はさらに、コンテナバッグ本体またはフォークポケット部材のうちの少なくともいずれか一方の接地面に、難滑処理を施すようにしているので、コンテナバッグ本体内に貨物が収容されていない状態で、フォークリフトのフォークを、フォークポケット内に挿入する場合であっても、コンテナバッグ本体が移動してフォークを挿入できないといった不具合がない。
【図面の簡単な説明】
【図１】本発明の実施の一形態に係るフレキシブルコンテナバッグを示す構成図である。
【図２】図１の側面図である。
【図３】図１のコンテナバッグ本体の下面側から見た構成図である。
【図４】フォークポケット部材の詳細を示す拡大断面図である。
【図５】図４のＶ−Ｖ線断面図である。
【図６】本発明の第２の実施の形態を示す図５相当図である。
【図７】挿入端補強材の形状を示す説明図である。
【図８】本発明の第３の実施の形態を示す図５相当図である。
【図９】図８の側面図である。
【符号の説明】
１  フレキシブルコンテナバッグ
２  コンテナバッグ本体
３  フォークポケット部材
４  ボトムカバー
５  上面材
６，８  内面材
７  下面材
９，１０  縁包み材
１１  ロープ通し材
１２  引上げ紐
１３  結束リング
１４  結束紐
２０  挿入端補強材
３０  難滑シート
Ｐ  フォークポケット
【図１】
0004017906.tif 000004
【図２】
0004017906.tif 000005
【図３】
0004017906.tif 000006
【図４】
0004017906.tif 000007
【図５】
0004017906.tif 000008
【図６】
0004017906.tif 000009
【図７】
0004017906.tif 000010
【図８】
0004017906.tif 000011
【図９】
0004017906.tif 000012